(57)【特許請求の範囲】
【請求項１】
ワイヤハーネスが分岐する部分を支持する分岐中心部と、
前記分岐中心部から放射状に延び、前記ワイヤハーネスが引き出される部分を支持する複数の分岐腕部とを備えた分岐プロテクタであって、
前記複数の分岐腕部は、前記分岐中心部を挟んだＸ軸方向の両側に配置される一対の第１分岐腕部と、前記分岐中心部を挟んだＹ軸方向の両側に配置される一対の第２分岐腕部とを有し、
前記第１分岐腕部には、前記ワイヤハーネスの引き出し角度を変更可能となすヒンジ部が設けられ、
前記ワイヤハーネスがＴ字状に分岐される場合に、前記一対の第１分岐腕部のうち、片方の第１分岐腕部が、前記ヒンジ部を介してもう片方の第１分岐腕部側へ折り返され、前記ワイヤハーネスの引出部分を径方向に挟んだ状態で前記もう片方の第１分岐腕部に対向して配置されることが可能となっていることを特徴とする分岐プロテクタ。
【請求項２】
前記ヒンジ部が、前記第１分岐腕部において、前記分岐中心部寄りの近接位置と前記分岐中心部から離れた離間位置とに設けられていることを特徴とする請求項１記載の分岐プロテクタ。
【請求項３】
前記ヒンジ部が、前記第１分岐腕部における延び方向と直交する幅方向に沿った溝によって屈曲可能に形成され、前記溝が、前記近接位置側の前記ヒンジ部では前記第１分岐腕部の片面のみに設けられ、前記離間位置側の前記ヒンジ部では前記第１分岐腕部の両面に設けられていることを特徴とする請求項２記載の分岐プロテクタ。
【請求項４】
前記複数の分岐腕部が、前記分岐中心部を挟んで対向して配置されていることを特徴とする請求項１ないし３のいずれか１項記載の分岐プロテクタ。
【請求項５】
前記分岐中心部には、前記ワイヤハーネスを支持する支持面とは反対側の面に、取付対象に固定可能な固定部が設けられていることを特徴とする請求項１ないし４のいずれか１項記載の分岐プロテクタ。
【請求項６】
前記分岐腕部が、前記ワイヤハーネスを支持する支持板と、前記支持板における延び方向と直交する幅方向の両端から立ち上がり、前記支持板との間にワイヤハーネスの収容空間を区画する側板とを有することを特徴とする請求項１ないし５のいずれか１項記載の分岐プロテクタ。
【請求項７】
前記ヒンジ部が、前記第１分岐腕部における延び方向と直交する幅方向に沿った溝によって屈曲可能に形成され、前記第１分岐腕部には、前記溝の幅方向の両端外方に、前記ヒンジ部より厚肉の厚肉部が設けられていることを特徴とする請求項１ないし６のいずれか１項記載の分岐プロテクタ。
【発明の詳細な説明】
【技術分野】
【０００１】
本発明は、ワイヤハーネスを保護する分岐プロテクタに関する。
【背景技術】
【０００２】
特許文献１には、従来の分岐プロテクタが開示されている。このものは、プロテクタ本体とそれに嵌合されるプロテクタ蓋体とを備えている。プロテクタ本体には第１、第２支線引き出し部が設けられ、プロテクタ蓋体には第３支線引き出し部が設けられている。ワイヤハーネスは、分岐プロテクタによって保護された状態で、例えば、第１、第３支線引き出し部を用いて垂直方向と斜め方向とに引き出され、また例えば、第２、第３支線引き出し部を用いて水平方向と斜め方向とに引き出される。
【先行技術文献】
【特許文献】
【０００３】
【特許文献１】特開２００８−２３６９３８号公報
【発明の概要】
【発明が解決しようとする課題】
【０００４】
ところで、上記従来の分岐プロテクタの場合、第１〜第３支線引き出し部が固定されその取り付け角度が一定とされていたため、ワイヤハーネスの引き出し角度を変更することができなかった。したがって、ワイヤハーネスの引き出し角度が異なる他の配線構造に対しては、この分岐プロテクタを適用することができないという事情があった。
【０００５】
本発明は上記のような事情に基づいて完成されたものであって、汎用性に優れた分岐プロテクタを提供することを目的とする。
【課題を解決するための手段】
【０００６】
上記の目的を達成するための手段として、請求項１の発明は、ワイヤハーネスが分岐する部分を支持する分岐中心部と、前記分岐中心部から放射状に延び、前記ワイヤハーネスが引き出される部分を支持する複数の分岐腕部とを備えた分岐プロテクタであって、前記複数の分岐腕部は、前記分岐中心部を挟んだＸ軸方向の両側に配置される一対の第１分岐腕部と、前記分岐中心部を挟んだＹ軸方向の両側に配置される一対の第２分岐腕部とを有し、前記第１分岐腕部には、前記ワイヤハーネスの引き出し角度を変更可能となすヒンジ部が設けられ、前記ワイヤハーネスがＴ字状に分岐される場合に、前記一対の第１分岐腕部のうち、片方の第１分岐腕部が、前記ヒンジ部を介してもう片方の第１分岐腕部側へ折り返され、前記ワイヤハーネスの引出部分を径方向に挟んだ状態で前記もう片方の第１分岐腕部に対向して配置されることが可能となっているところに特徴を有する。
【０００７】
請求項２の発明は、請求項１に記載のものにおいて、前記ヒンジ部が、前記第１分岐腕部において、前記分岐中心部寄りの近接位置と前記分岐中心部から離れた離間位置とに設けられているところに特徴を有する。
【０００８】
請求項３の発明は、請求項２に記載のものにおいて、前記ヒンジ部が、前記第１分岐腕部における延び方向と直交する幅方向に沿った溝によって屈曲可能に形成され、前記溝が、前記近接位置側の前記ヒンジ部では前記第１分岐腕部の片面のみに設けられ、前記離間位置側の前記ヒンジ部では前記第１分岐腕部の両面に設けられているところに特徴を有する。
【０００９】
請求項４の発明は、請求項１ないし３のいずれか１項に記載のものにおいて、前記複数の分岐腕部が、前記分岐中心部を挟んで対向して配置されているところに特徴を有する。
【００１０】
請求項５の発明は、請求項１ないし４のいずれか１項に記載のものにおいて、前記分岐中心部には、前記ワイヤハーネスを支持する支持面とは反対側の面に、取付対象に固定可能な固定部が設けられているところに特徴を有する。
【００１１】
請求項６の発明は、請求項１ないし５のいずれか１項に記載のものにおいて、前記分岐腕部が、前記ワイヤハーネスを支持する支持板と、前記支持板における延び方向と直交する幅方向の両端から立ち上がり、前記支持板との間にワイヤハーネスの収容空間を区画する側板とを有するところに特徴を有する。
【００１２】
請求項７の発明は、請求項１ないし６のいずれか１項に記載のものにおいて、前記ヒンジ部が、前記第１分岐腕部における延び方向と直交する幅方向に沿った溝によって屈曲可能に形成され、前記第１分岐腕部には、前記溝の幅方向の両端外方に、前記ヒンジ部より厚肉の厚肉部が設けられているところに特徴を有する。
【発明の効果】
【００１３】
＜請求項１の発明＞
ヒンジ部によってワイヤハーネスの引き出し角度が変更可能とされるため、ワイヤハーネスの引き出し角度が異なる複数の配線構造に、この分岐プロテクタを適用することができる。したがって、汎用性に優れた分岐プロテクタが提供される。
【００１４】
＜請求項２の発明＞
第１分岐腕部に近接位置側のヒンジ部と離間位置側のヒンジ部とが設けられているため、ワイヤハーネスの引き出し角度を規定する際の自由度がより高められる。
【００１５】
＜請求項３の発明＞
近接位置側のヒンジ部では第１分岐腕部の片面のみに溝が設けられているため、この部分が格別薄くなることはない。したがって、近接位置側のヒンジ部を介して第１分岐腕部が折り曲げられるときに、第１分岐腕部が近接位置側のヒンジ部の部分で破断されるのが回避される。これに対し、折り曲げ時の応力が比較的小さくて済む離間位置側のヒンジ部では第１分岐腕部の両面に溝が設けられているため、このヒンジ部を介して第１分岐腕部が柔軟に折り曲げられる。
【００１６】
＜請求項４の発明＞
複数の分岐腕部が分岐中心部を挟んで対向して配置されているため、この対向する各分岐腕部にワイヤハーネスを直線状に沿わせることが可能となる。
【００１７】
＜請求項５の発明＞
分岐中心部に固定部が設けられているため、取付対象に固定した状態でワイヤハーネスを分岐させることができる。
【００１８】
＜請求項６の発明＞
分岐腕部が支持板と側板とを有し、支持板と側板との間にワイヤハーネスの収容空間が区画されるため、分岐腕部内でワイヤハーネスの引き出し部分がばらけるのが防止される。
【００１９】
＜請求項７の発明＞
ヒンジ部が第１分岐腕部における延び方向と直交する幅方向に沿った溝によって屈曲可能に形成されるため、この部分が破断されるおそれがあるものの、溝の幅方向の両端外方にヒンジ部より厚肉の厚肉部が設けられているため、第１分岐腕部が破断されるのが回避される。
【図面の簡単な説明】
【００２０】
【図１】本発明の実施形態１に係る分岐プロテクタの平面図である。
【図２】図１のＡ−Ａ断面図である。
【図３】分岐プロテクタの側面図である。
【図４】分岐プロテクタの正面図である。
【図５】分岐プロテクタの第１使用態様をあらわす斜視図である。
【図６】分岐プロテクタの第２使用態様をあらわす斜視図である。
【図７】分岐プロテクタの第３使用態様をあらわす斜視図である。
【発明を実施するための形態】
【００２１】
＜実施形態１＞
本発明の実施形態１を図１ないし図７によって説明する。本実施形態に係る分岐プロテクタ１０は、ワイヤハーネス９０を保護するものであって、合成樹脂製の板材によって構成されている。そして、分岐プロテクタ１０は、図１及び図５に示すように、ワイヤハーネス９０が分岐する基幹部分を支持する分岐中心部１１と、分岐中心部１１と一体に連なり、ワイヤハーネス９０が引き出される引出部分を支持する複数の分岐腕部１２とを備えている。
【００２２】
分岐中心部１１は平板状の支持板１１Ａからなり、支持板１１Ａの上面はワイヤハーネス９０の基幹部分を支持可能な支持面１１Ｂとされている。また、図２に示すように、支持板１１Ａの下面には、固定部６０を取り付け可能なレール状の取付部１３が形成されている。
【００２３】
固定部６０は合成樹脂製であってクリップ状の形態とされ、その上端面に、取付部１３に着脱可能な装着部６１が形成されている。また、固定部６０には、図３及び図４に示すように、撓み可能な一対の弾性片６２が下向きに突出して形成されている。固定部６０は、装着部６１が取付部１３にスライド装着され、かつ各弾性片６２の撓み動作を伴った後、図示しない取付対象に弾性的に取り付けられる。これにより、分岐プロテクタ１０は固定部６０を介して取付対象に固定される。
【００２４】
各分岐腕部１２は、図１に示すように、分岐中心部１１を中心としてそこから放射状に延びる形態とされている。本実施形態の場合、各分岐腕部１２は、分岐中心部１１を中心として十字形をなす各位置に配置されている。具体的には、各分岐腕部１２は、分岐中心部１１を挟んだＸ軸方向の両側にほぼ対称に配置される一対の第１分岐腕部１２Ａと、分岐中心部１１を挟んだＹ軸方向の両側にほぼ対称に配置される一対の第２分岐腕部１２Ｂとからなる。なお、Ｘ軸方向、Ｙ軸方向、及び後述するＺ軸方向は、互いに直交する位置関係とされている。
【００２５】
第１分岐腕部１２Ａは、第２分岐腕部１２Ｂより長寸とされ、分岐中心部１１から連続しつつＸ軸方向に直線状に延びる支持板１２Ｆを有している。支持板１２Ｆの上面は分岐中心部１１側から段差なく連続する支持面１２Ｃとされ、ここにワイヤハーネス９０の第１引出部分９０Ａ（図５を参照）が支持可能とされている。
【００２６】
図２に示すように、第１分岐腕部１２Ａにおける分岐中心部１１寄りの近接位置には、近接位置側のヒンジ部（以下、近接側ヒンジ部１４という）が設けられている。近接側ヒンジ部１４は、第１分岐腕部１２Ａにおける分岐中心部１１との連結部位に配置されている。そして、第１分岐腕部１２Ａの下面には、近接側ヒンジ部１４と対応する位置に、幅方向（第１分岐腕部１２Ａの延び方向と直交する方向）に延びる帯状の溝１５が形成されている。近接側ヒンジ部１４は、溝１５による薄肉化によって弾性的に屈曲変形可能とされている。
【００２７】
また、第１分岐腕部１２Ａにおける分岐中心部１１から離れた離間位置には、離間位置側のヒンジ部（以下、離間側ヒンジ部２３という）が設けられている。離間側ヒンジ部２３は、第１分岐腕部１２Ａの長さ方向ほぼ中央部に配置されている。そして、第１分岐腕部１２Ａの上下両面には、離間側ヒンジ部２３と対応する位置に、幅方向に延びる上下一対の溝１６が形成されている。離間側ヒンジ部２３は、溝１６による薄肉化によって弾性的に屈曲変形可能とされている。なお、離間側ヒンジ部２３の厚みは近接側ヒンジ部１４の厚みとほぼ同じとされている。また、第１分岐腕部１２Ａの幅方向の両端部には、図１及び図２に示すように、溝１５、１６の幅方向の両端外方と対応する位置に、厚肉部１７が形成されている。第１分岐腕部１２Ａは厚肉部１７によって所定の剛性が確保されている。
【００２８】
第２分岐腕部１２Ｂは、図１に示すように、分岐中心部１１から連続しつつＹ軸方向に直線状に延びる支持板１２Ｄを有している。図３に示すように、支持板１２Ｄの上面は分岐中心部１１側から段差なく連続する支持面１２Ｅとされ、ここにワイヤハーネス９０の第２引出部分９０Ｂ（図５を参照）が支持可能とされている。
【００２９】
第２分岐腕部１２Ｂの支持板１２Ｄは、第１分岐腕部１２Ａの支持板１２Ｆよりも幅寸法（第２分岐腕部１２Ｂの延び方向と直交する方向（幅方向）に関する寸法）が大きくされている。また、図３及び図４に示すように、第２分岐腕部１２Ｂは、支持板１２Ｄの幅方向の両端部から立ち上がる一対の側板１８を有している。各側板１８は、第２分岐腕部１２Ｂの長さ方向に延出して形成されている。各側板１８と支持板１２Ｄとの間には、ワイヤハーネス９０の収容空間１９が区画して形成されている。この収容空間１９は断面チャンネル状をなし、上方に開放されている。そして、図１に示すように、第２分岐腕部１２Ｂの幅方向の両端部には、第１分岐腕部１２Ａとの連結部位であって分岐中心部１１の４隅寄りの部分に、平面視ほぼ四半円弧状の繋ぎ部２１が形成されている。繋ぎ部２１は、側板１８よりも高背とされている。なお、第２分岐腕部１２Ｂには、第１分岐腕部１２Ａと違って、側板１８、溝１５、１６、及びヒンジ部１４、２３は設けられていない。
【００３０】
本実施形態に係る分岐プロテクタ１０の構造は上述の通りであり、続いて、分岐プロテクタ１０の使用態様を説明する。
分岐プロテクタ１０は、各近接側ヒンジ部１４及び各離間側ヒンジ部２３の屈曲動作を伴いつつ各第１分岐腕部１２Ａが折り曲げられ、あるいは各第１分岐腕部１２Ａが直線状に保たれることにより、ワイヤハーネス９０の引き出し角度を変更可能とされている。
【００３１】
例えば、図５に示す第１使用態様では、各近接側ヒンジ部１４及び各離間側ヒンジ部２３がいずれも初期状態に保たれ、各第１分岐腕部１２ＡはＸ軸方向に沿ってほぼ真直ぐ配置されている。このため、ワイヤハーネス９０の第１引出部分９０Ａは各第１分岐腕部１２Ａに支持された状態でＸ軸方向に引き出される。また、ワイヤハーネス９０の第２引出部分９０Ｂは各第２分岐腕部１２Ｂの収容空間１９に収容された状態でＹ軸方向に引き出される。この場合、ワイヤハーネス９０の第２引出部分９０Ｂは各側板１８によって幅方向への遊動が規制される。また、各ワイヤハーネス９０は、テープ８０巻き等されて分岐腕部１２に固定される。かくして、第１使用態様では、ワイヤハーネス９０が十字状に分岐される。
【００３２】
また、例えば、図６に示す第２使用態様では、各第１分岐腕部１２Ａのうち片方の第１分岐腕部１２Ａの近接側ヒンジ部１４が屈曲させられ、この片方の第１分岐腕部１２Ａが近接側ヒンジ部１４を支点として約９０度回動されてＺ軸方向に起立して配置される。このため、ワイヤハーネス９０の第１引出部分９０Ａの片側は片方の第１分岐腕部１２Ａに支持された状態でＺ軸方向に引き出される。このとき、片方の第１分岐腕部１２Ａは、繋ぎ部２１に寄りかかるようにして側板１８とともにテープ８０巻きされることにより、その起立状態を維持可能とされる。また、ワイヤハーネス９０の第２引出部分９０Ｂは各第２分岐腕部１２Ｂの収容空間１９に収容された状態でＹ軸方向に引き出される。かくして、第２使用態様では、ワイヤハーネス９０が３次元的に分岐される。
【００３３】
また、例えば、図７に示す第３使用態様では、各第１分岐腕部１２Ａのうち片方の第１分岐腕部１２Ａの近接側ヒンジ部１４及び離間側ヒンジ部２３がそれぞれ同一方向に屈曲させられ、この片方の第１分岐腕部１２Ａが折り返されてもう片方の第１分岐腕部１２Ａの上方にほぼ対向して配置される。このため、ワイヤハーネス９０の第１引出部分９０Ａは片方の第１分岐腕部１２Ａに上方から押さえ付けられた状態でもう片方の第１分岐腕部１２Ａに支持されつつＸ軸方向に引き出される。そして、この状態で各第１分岐腕部１２Ａがテープ８０巻きされて一まとめにされる。また、ワイヤハーネス９０の第２引出部分９０Ｂは各第２分岐腕部１２Ｂの収容空間１９に収容された状態でＹ軸方向に引き出される。かくして、第３使用態様では、ワイヤハーネス９０がＴ字状に分岐される。
【００３４】
以上説明したように、本実施形態によれば、各近接側ヒンジ部１４及び各離間側ヒンジ部２３によってワイヤハーネス９０の引き出し角度が変更可能とされるため、ワイヤハーネス９０の引き出し角度が異なる複数の配線構造に、この分岐プロテクタ１０を適用することができる。したがって、汎用性に優れた分岐プロテクタ１０が提供される。
【００３５】
また、近接側ヒンジ部１４と離間側ヒンジ部２３とを適宜組み合せて使用することにより、ワイヤハーネス９０の引き出し角度を規定する際の自由度がより高められる。
【００３６】
また、近接側ヒンジ部１４では第１分岐腕部１２Ａの片面のみに溝１５が設けられているため、この部分が格別薄くなることはない。したがって、近接側ヒンジ部１４を介して第１分岐腕部１２Ａが折り曲げられるときに、第１分岐腕部１２Ａが近接側ヒンジ部１４で破断されるのが回避される。これに対し、折り曲げ時の応力が比較的小さくて済む離間側ヒンジ部２３では第１分岐腕部１２Ａの両面に溝１６が設けられているため、この離間側ヒンジ部２３を介して第１分岐腕部１２Ａが柔軟に折り曲げられる。
【００３７】
また、複数の分岐腕部１２が分岐中心部１１を挟んで対向して配置されているため、この対向する各分岐腕部１２にワイヤハーネス９０を直線状に沿わせることが可能となる。
【００３８】
さらに、分岐中心部１１に固定部６０が設けられているため、取付対象に固定した状態でワイヤハーネス９０を分岐させることができる。さらにまた、第２分岐腕部１２Ｂが支持板１２Ｄと側板１８とを有し、支持板１２Ｄと側板１８との間にワイヤハーネス９０の収容空間１９が区画されているため、第２分岐腕部１２Ｂ内でワイヤハーネス９０の第２引出部分９０Ｂがばらけるのが防止される。
【００３９】
＜他の実施形態＞
本発明は上記記述及び図面によって説明した実施形態に限定されるものではなく、例えば次のような実施形態も本発明の技術的範囲に含まれる。
（１）ヒンジ部が全ての分岐腕部に設けられていてもよい。
（２）近接側ヒンジ部及び離間側ヒンジ部のいずれか一方を省略することができる。
（３）分岐腕部にはコルゲートチューブが装着されるものであってもよい。
（４）固定部は分岐中心部に一体に成形されるものであってもよい。
（５）近接側ヒンジ部と対応する溝は第１分岐腕部の上面に形成されるものであってもよい。
（６）ワイヤハーネスの使用態様は、ヒンジ部を適宜利用することにより、第１〜第３使用態様以外にも種々想定し得る。
【符号の説明】
【００４０】
１０…分岐プロテクタ
１１…分岐中心部
１２…分岐腕部
１２Ａ…第１分岐腕部
１２Ｂ…第２分岐腕部
１４…近接側ヒンジ部（ヒンジ部）
１８…側板
１９…収容空間
２３…離間側ヒンジ部（ヒンジ部）
６０…固定部
９０…ワイヤハーネス
【図１】
0005772269.tif 000002
【図２】
0005772269.tif 000003
【図３】
0005772269.tif 000004
【図４】
0005772269.tif 000005
【図５】
0005772269.tif 000006
【図６】
0005772269.tif 000007
【図７】
0005772269.tif 000008